【事件の表示】
　特許第３３０８７０４号「画像形成装置、および画像形成装置の制御方法」の請求項１ないし１６に係る特許に対する特許異議の申立てについて、次のとおり決定する。
【結　論】
　訂正を認める。
　特許第３３０８７０４号の請求項１ないし１２に係る特許を維持する。
【理　由】
１．手続の経緯
　本件特許第３３０８７０４号の請求項１〜１２に係る発明は、平成６年４月２０日に特許出願され、平成１４年５月１７日に設定登録がなされ、江原隆彦より特許異議の申立がなされ、取消理由通知がなされ、その指定期間内である平成１５年６月３日に訂正請求がなされ、再度、取消理由通知がなされ、平成１５年９月２日に訂正請求がなされ、再々度、訂正拒絶理由通知を兼ねた取消理由通知がなされ、平成１５年１１月１９日に訂正請求がなされたものである。
２．訂正の適否について
　ア．訂正の内容
　平成１５年６月３日付け訂正請求と平成１５年１１月１９日付け訂正請求とを総合すると、訂正の内容は以下の訂正事項ａ〜ｌのとおりである。
　訂正事項ａ
　特許請求の範囲に記載の請求項１の
「ネットワークに接続された画像形成装置であって、
　外部装置にて生成されたジョブを受信する受信手段と、
　前記画像形成装置にて生成されたジョブと前記受信手段で受信した画像形成ジョブを実行する実行手段と、
　前記実行手段にて実行されるジョブの動作状況を通知する第１の通知手段と、
　前記実行手段にて実行されるジョブの実行形態を変更する手段と、
　前記実行形態変更後のジョブの動作状況を通知する第２の通知手段とを備えることを特徴とする画像形成装置。」を、
　「外部コンピュータ及びＬＡＮに接続される画像形成装置であって、
　外部装置にて生成されたジョブを受信する受信手段と、
　前記画像形成装置にて生成されたジョブと前記受信手段で受信した画像形成ジョブを実行する実行手段と、
　前記実行手段にて実行されるジョブの動作状況を前記外部コンピュータに通知する通知手段と、
　前記通知手段による通知後の前記外部コンピュータでの設定に従って、前記実行手段にて実行されるジョブの実行形態を変更する手段と、
　前記実行形態変更後のジョブの動作状況を前記画像形成装置の操作部に表示する手段とを備えることを特徴とする画像形成装置。」と訂正する。
　訂正事項ｂ
　特許請求の範囲の請求項５を削除する。
　訂正事項ｃ　
　特許請求の範囲の請求項６を削除する。
　訂正事項ｄ
　特許請求の範囲に記載の請求項８の
「前記第１の通知手段及び前記第２の通知手段は、前記実行可能なジョブとして、少なくとも該ジョブの種類、個数、番号、受付時間、開始予想時間、ページ数を通知することを特徴とする請求項１に記載の画像形成装置。」を、
「前記動作状況は、少なくとも該ジョブの種類、個数、番号、受付時間、開始予想時間、ページ数を含むことを特徴とする請求項１に記載の画像形成装置。」と訂正する。
　訂正事項ｅ
　特許請求の範囲に記載の請求項９の
「ネットワークに接続された画像形成装置の制御方法であって、外部装置にて生成されたジョブを受信する受信工程と、前記画像形成装置にて生成されたジョブと前記受信工程で受信した画像形成ジョブを実行する実行工程と、
　前記実行工程にて実行されるジョブの動作状況を通知する第１の通知工程と、
　前記実行手段にて実行されるジョブの実行形態を変更する工程と、前記実行形態変更後のジョブの動作状況を通知する第２の通知工程とを備えることを特徴とする画像形成装置の制御方法。」を、
「外部コンピュータ及びＬＡＮに接続される画像形成装置の制御方法であって、
　外部コンピュータにて生成されたジョブを受信する受信工程と、
　前記画像形成装置にて生成されたジョブと前記受信工程で受信した画像形成ジョブを実行する実行工程と、
　前記実行工程にて実行されるジョブの動作状況を前記外部コンピュータに表示する工程と、
　前記表示された後の前記外部コンピュータにおける設定に従って、前記実行工程にて実行されるジョブの実行形態を変更する工程と、
　前記実行形態変更後のジョブの動作状況を前記画像形成装置の操作部に表示する工程とを備えることを特徴とする画像形成装置の制御方法。」と訂正する。
　訂正事項ｂ、ｃにおける請求項の削除に伴い、請求項の番号を「請求項９」から「請求項７」に訂正する。
　訂正事項ｆ
　特許請求の範囲の減縮を目的として、特許請求の範囲の請求項１３を削除する。
　訂正事項ｇ
　特許請求の範囲の請求項１４を削除する。
　訂正事項ｈ
　特許請求の範囲に記載の請求項１６の
「前記第１の通知工程及び前記第２の通知工程は，前記実行可能なジョブとして、少なくとも該ジョブの種類、個数、番号、受付時間．開始予想時間、ページ数を通知することを特徴とする請求項９に記載の画像形成装置の制御方法。」を、
「前記動作状況は、少なくとも該ジョブの種類、個数、番号、受付時間、開始予想時間、ページ数を含むことを特徴とする請求項７に記載の画像形成装置の制御方法。」と訂正する。
　訂正事項ｉ
　訂正事項ｂ、ｃ及び訂正事項ｆ、ｇにおける請求項の削除に伴い、請求項に付する番号を記載の順序により連続番号とするために、訂正前の請求項７乃至１２、および請求項１５、１６に対する請求項の番号を．
　（訂正前）（訂正後）
請求項７→請求項５
請求項８→請求項６
請求項９→請求項７
請求項１０→請求項８
請求項１１→請求項９
請求項１２→請求項１０
請求項１５→請求項１１
請求項１６→請求項１２
と訂正する。
　更に、訂正前の請求項１０乃至１２、および訂正前の請求項１５、１６において引用する他の請求項の番号（９）を、訂正後の請求項の番号（７）に訂正する。
　訂正事項ｊ
　訂正後の特許請求の範囲の記載と発明の詳細な説明の記載との整合を図るため、明瞭でない記載の釈明を目的として、明細書の段落［０００４］の「上記の目的を達成するため、本発明にかかるネットワークに接続された画像形成装置は、外部装置にて生成されたジョブを受信する受信手段と、前記画像形成装置にて生成されたジョブと前記受信手段で受信した画像形成ジョブを実行する実行手段と．前記実行手段にて実行されるジョブの動作状況を通知する第１の通知手段と、前記実行手段にて実行されるジョブの実行形態を変更する手段と、前記実行形態変更後のジョブの動作状況を通知する第２の通知手段とを備えることを特徴とする。」を、　
「上記の目的を達成するため、本発明にかかる外部コンピュータ及びＬＡＮに接続される画像形成装置であって、
　外部コンピュータにて生成されたジョブを受信する受信手段と、
　前記画像形成装置にて生成されたジョブと前記受信手段で受信した画像形成ジョブを実行する実行手段と、
　前記実行手段にて実行されるジョブの動作状況を前記外部コンピュータに通知する通知手段と、
　前記通知手段による通知後の前記外部コンピュータでの設定に従って、前記実行手段にて実行されるジョブの実行形態を変更する手段と、
　前記実行形態変更後のジョブの動作状況を前記画像形成装置の操作部に表示する手段とを備えることを特徴とする。」と訂正する。
　訂正事項ｋ
　訂正後の特許請求の範囲の記載と発明の詳細な説明の記載との整合を図るため、明瞭でない記載の釈明を目的として、明細書の段落［０００５］の「また、ネットワークに接続された画像形成装置の制御方法は、外部装置にて生成されたジョブを受信する受信工程と、前記画像形成装置にて生成されたジョブと前記受信工程で受信した画像形成ジョブを実行する実行工程と、前記実行工程にて実行されるジョブの動作状況を通知する第１の通知工程と、前記実行手段にて実行されるジョブの実行形態を変更する工程と、前記実行形態変更後のジョブの動作状況を通知する第２の通知工程とを備えることを特徴とする。」を、
「また、外部コンピュータ及びＬＡＮに接続される画像形成装置の制御方法であって、外部コンピュータにて生成されたジョブを受信する受信工程と、前記画像形成装置にて生成されたジョブと前記受信工程で受信した画像形成ジョブを実行する実行工程と、
　前記実行工程にて実行されるジョブの動作状況を前記外部コンピュータに表示する工程と、
　前記表示された後の前記外部コンピュータにおける設定に従って、前記実行工程にて実行されるジョブの実行形態を変更する工程と、前記実行形態変更後のジョブの動作状況を前記画像形成装置の操作部に表示する工程とを備えることを特徴とする。」と訂正する。
　訂正事項１
　特許明細書の段落［００３８］の
「【発明の効果】
　以上説明したように、本出願にかかる発明によれば、実行形態変更前及び変更後の実行可能なジョブを通知するよう構成することで、複数のジョブに対して効果的なジョブ管理及びジョブ処理を行なうことができる。また、現在実行可能なジョブを外部装置や画像形成装置の操作部に表示することで、ジョブ処理に対する煩わしさがなくなり、設定が容易になる。」を、
「【発明の効果】
　以上説明したように、本出願にかかる発明によれば、実行形態変更前及び変更後のジョブの動作状況を通知し，外部コンピュータにおける設定に従ってジョブの実行形態を変更するよう構成することで、複数のジョブに対して効果的なジョブ管理及びジョブ処理を行なうことができる。また、ジョブの動作状況を外部コンピュータや画像形成装置の操作部に表示することで、ジョブ処理に対する煩わしさがなくなり、設定が容易になる。」と訂正する。
　イ．訂正の目的の適否、新規事項の有無及び拡張・変更の存否
　訂正事項ａについて
　この訂正事項ａの「動作状況を前記外部コンピュータに通知する」ことは、特許明細書の段落［００２７］の「次に、本実施例におけるジョブの実行順序の変更について説明する。ジョブ管理を行なう、本実施例に係る画像形成システムを構成するコンピュータインターフェース部７に接続された外部コンピュータ１５からジョブの動作状況の問い合わせが行なわれると、コンピュータインターフェース部７は、コア部１０に対して、現在要求されているジョブの種類，個数、番号、各々の受付時間及びジョブの開始予想時間、ページ数等の情報を外部コンピュータに知らせる。」との記載の事項の範囲内である。
　この訂正事項ａの「前記通知手段による通知後の前記外部コンピュータでの設定に従って、前記実行手段にて実行されるジョブの実行形態を変更する手段」は、特許明細書の段落［００２８］の「例えば、図１０に示すようなジョブが外部コンピュータ１５に知らされたとき、表示された３番目と４番日のジョブ３，ジョブ４の２個の実行順序を最初（１番日と２番目）にするために、外部コンピュータ１５で実行順序の変更を設定する。これにより、コア部１０の制御による実行順序の変更ができ（図１１参照）、設定したジョブの実行が最初に行なわれる。」との記載の事項の範囲内である。
　この訂正事項ａの「前記実行形態変更後のジョブの動作状況を前記画像形成装置の操作部に表示する手段」は、特許明細書の段落［００３３］の「このとき、上述のように、外部コンピュータ１５からジョブの優先順位を設定することにより、外部コンピュータ１５に表示されている優先順位で処理される。同様に、画像形成システムの操作部からジョブの優先順位を設定することにより、操作部に表示されている優先順位でジョブの処理が行なわれる。そして、このとき、外部コンピュータ１５からの優先順位の設定と、画像形成システムの操作部からの優先順位の設定のどちらかを優先させるための設定が可能である。」との記載の事項の範囲内である。
　したがって、この訂正事項ａは、特許請求の範囲の減縮に該当し、新規事項を追加するものでなく、特許請求の範囲を実質的に拡張又は変更するものでもない。
　訂正事項ｂについて
　この訂正事項ｂは、請求項を削除するものであるから、特許請求の範囲の減縮に該当し、新規事項を追加するものでなく、特許請求の範囲を実質的に拡張又は変更するものでもない。
　訂正事項ｃについて
　この訂正事項ｃは、請求項を削除するものであるから、特許請求の範囲の減縮に該当し、新規事項を追加するものでなく、特許請求の範囲を実質的に拡張又は変更するものでもない。
　訂正事項ｄについて
　この訂正事項ｄの「前記動作状況は、少なくとも該ジョブの種類、個数、番号、受付時間、開始予想時間、ページ数を含む」は、特許明細書の段落［００２７］の「次に、本実施例におけるジョブの実行順序の変更について説明する。ジョブ管理を行なう、本実施例に係る画像形成システムを構成するコンピュータインターフェース部７に接続された外部コンピュータ１５からジョブの動作状況の問い合わせが行なわれると、コンピュータインターフェース部７は．コア部１０に対して、現在要求されているジョブの種類、個数、番号、各々の受付時間及びジョブの開始予想時間、ページ数等の情報を外部コンピュータに知らせる。」との記載の事項の範囲内である。
　したがって、この訂正事項ｄは、特許請求の範囲の減縮に該当し、新規事項を追加するものでなく、特許請求の範囲を実質的に拡張又は変更するものでもない。
　訂正事項ｅについて
　訂正事項ａと重複する訂正箇所については上記「訂正事項ａについて」を参照する。
 また、この訂正事項ｅの「前記実行工程にて実行されるジョブの実行形態を変更する」の事項は、誤記の訂正を目的とするものであり、新規事項を追加するものでなく、特許請求の範囲を実質的に拡張又は変更するものでもない。
　訂正事項ｆについて
　この訂正事項ｆは、請求項を削除するものであるから、特許請求の範囲の減縮に該当し、新規事項を追加するものでなく、特許請求の範囲を実質的に拡張又は変更するものでもない。。
　訂正事項ｇについて
　この訂正事項ｇは、請求項を削除するものであるから、特許請求の範囲の減縮に該当し、新規事項を追加するものでなく、特許請求の範囲を実質的に拡張又は変更するものでもない。
　訂正事項ｈについて
　上記「訂正事項ｄについて」を参照する。
　訂正事項ｉについて
　この訂正事項ｉは、訂正事項ｂ、ｃ、ｅ及びｆの請求項の削除に伴って請求項の番号を付け替えるものであるから、明りょうでない記載の釈明に該当し、新規事項を追加するものでなく、特許請求の範囲を実質的に拡張又は変更するものでもない。
　訂正事項ｊ、ｋ及びｌについて
　この訂正事項ｊ、ｋ及びｌは、上記訂正事項ａ、ｄ、ｈの特許請求の範囲の訂正に整合するように特許明細書の発明の詳細な説明を訂正するものであるから、明りょうでない記載の釈明に該当し、新規事項を追加するものでなく、特許請求の範囲を実質的に拡張又は変更するものでもない。
　ウ．むすび
　以上のとおり、上記訂正は、特許法第１２０条の４第２項及び第３項で準用する特許法第１２６条第２、３項の規定に適合するので、当該訂正を認める。
３．特許異議申立について
　ア．本件発明
　訂正後の本件特許明細書の特許請求の範囲の請求項１〜１２に係る発明（以下、本件発明１〜１２という。）は次のとおりのものである。
「【請求項１】　外部コンピュータ及びＬＡＮに接続される画像形成装置であって、
　外部装置にて生成されたジョブを受信する受信手段と、
　前記画像形成装置にて生成されたジョブと前記受信手段で受信した画像形成ジョブを実行する実行手段と、
　前記実行手段にて実行されるジョブの動作状況を前記外部コンピュータに通知する通知手段と、
　前記通知手段による通知後の前記外部コンピュータでの設定に従って、前記実行手段にて実行されるジョブの実行形態を変更する手段と、
　前記実行形態変更後のジョブの動作状況を前記画像形成装置の操作部に表示する手段とを備えることを特徴とする画像形成装置。
　【請求項２】　前記実行形態の変更は、前記実行可能なジョブの実行順序の変更であることを特徴とする請求項１に記載の画像形成装置。
　【請求項３】　前記実行形態の変更は、前記実行可能なジョブを所定のジョブ単位で取り消すことであることを特徴とする請求項１に記載の画像形成装置。
　【請求項４】　前記実行形態の変更は、前記実行可能なジョブの実行優先順位の設定であることを特徴とする請求項１に記載の画像形成装置。
　【請求項５】　さらに、前記複数のジョブを所定単位にまとめる手段を備えることを特徴とする請求項１に記載の画像形成装置。
　【請求項６】　前記動作状況は、少なくとも該ジョブの種類、個数、番号、受付時間、開始予想時間、ページ数を通知することを特徴とする請求項１に記載の画像形成装置。
　【請求項７】　外部コンピュータ及びＬＡＮに接続される画像形成装置の制御方法であって、
　外部コンピュータにて生成されたジョブを受信する受信工程と、
　前記画像形成装置にて生成されたジョブと前記受信工程で受信した画像形成ジョブを実行する実行工程と、
　前記実行工程にて実行されるジョブの動作状況を前記外部コンピュータに表示する工程と、
　前記表示された後の前記外部コンピュータにおける設定に従って、前記実行工程にて実行されるジョブの実行形態を変更する工程と、
　前記実行形態変更後のジョブの動作状況を前記画像形成装置の操作部に表示する工程とを備えることを特徴とする画像形成装置の制御方法。
　【請求項８】　前記実行形態の変更は、前記実行可能なジョブの実行順序の
変更であることを特徴とする請求項７に記載の画像形成装置の制御方法。
　【請求項９】　前記実行形態の変更は、前記実行可能なジョブを所定のジョ
ブ単位で取り消すことであることを特徴とする請求項７に記載の画像形成装置の制御方法。
　【請求項１０】　前記実行形態の変更は、前記実行可能なジョブの実行優先順位の設定であることを特徴とする請求項７に記載の画像形成装置の制御方法。
　【請求項１１】　さらに、前記複数のジョブを所定単位にまとめる手段を備えることを特徴とする請求項７に記載の画像形成装置の制御方法。
　【請求項１２】　前記動作状況は、少なくとも該ジョブの種類、個数、番号、受付時間、開始予想時間、ページ数を通知することを特徴とする請求項７に記載の画像形成装置の制御方法。」
　イ．異議申立の理由の概要
　異議申立人 江原隆彦は、証拠として甲第１〜７号証を提出し、本件発明１〜１２は、特許法第２９条第２項の規定若しくは同法第１７条の２第２項の規定に違反して特許されたものであるから、それらの特許は取り消されるべき旨主張している。
　ウ．異議申立人が提出した甲各号証に記載の発明
甲第１号証（特開平３一７５８６１号公報）には次の事項が記載されている。「第１１図及び第１２図を参照し、複写装置５によるジョブのプリントを管理するための本発明の待ち行列管理方法を説明する。プリントされるべきジョブはいくつかのことからなる型のジョブのうちのどれかの一つから成る。これらジョブとしては、パーソナルコンピュータのような画像発生装置から受信される画像データからプリントが作られるプリントジョブ３００、走査器９によって走査される書類１１０からコピーが作られるコピージョブ３０３、電話線２５（第３図）のような通信チャンネルを介して複写装置５へ伝送されるビデオ情報からコピー及びプリントが作られるファクシミリジョブ３０５等がある。」（第６頁左上欄２０行〜右上欄１２行目）
　「プリント、コピー、及びファクシミリのジョブ３００、３０３、３０５は何時でも出力待ち行列内に移動させることができる。保持または出力のいずれかの待ち行列３１０または３１５内にあるプリント、コピー、及びファクシミリのジョブ３００、３０３、３０５は何時でも使用者の随意に削除することができる。ジョブが、該ジョブがプリントされている最中に削除されると、プリンタ７の用紙通路内にある全てのコピーまたはプリントは出力トレイ８６へ送られ、このジョブのそれ以上のプリントは停止され、そしてこのジョブは削除される。
　各ジョブ３００、３０３、３０５はＵｌ１０のディスプレイ４００の一つのラインにリストされる。
　これらジョブを識別するため、各ライン（従って、各ジョブ）に番号付けする。また、作るべきコピーまたはプリントの数、用紙トレイ選択等のような個別ジョブのジョブパラメータを、ジョブがプリントを予定されている時刻に変更する。そして、Ｕｌ１０を、すでに出力待ち行列３１０内にあるジョブを待ち行列内に再び入れるように、プログラムする。」（第６頁右下欄７行〜第７頁左上欄８行目）
甲第２号証（特開平４−３０６６６９号公報）には次の事項が記載されている。
「図１２も参照すると、ジョブ１５６をプリントするために、ジョブはプリント待ち行列１６５へ移動される。タッチスクリーン６２上のプリンタ待ち行列アイコン１６７は、起動されると、図１２にその例が示されているように、タッチスクリーン６２上に待ち行列内のジョブのリストをもって現行プリント待ち行列を表示する。待ち行列１６５内の各ジョブは、ジョブ，ジョブナンバー，プリント枚数，用紙の色，仕上のタイプ等を同定するジョブ記述子を持つ。プリント待ち行列１６５は優先順位およびプリント待ち行列内のジョブの到達時間によって順番付けされる。他の優先順位は想像されよう。」（段落【００２８】）
「プリント待ち行列１６５内のジョブ１５６は、印　刷が開始する前ならいつでも待ち行列１６５から除去されることができ、ジョブファイル１５５に戻ることができる。このようなケースでは、除去されたイメージファイルはプリント待ち行列内でのその場所を失う。」（段落【００３０】）
　甲第３号証（特開平４一２９９４２８号公報）には次の事項が記載されている。
「ＳＳＣ１６０には、ジョブを処理する際に必要となる仮想計算機に関して優先順位を設定する長期スケジューラ（ＬＴＳ）１６４も包含される。」（段落【００４０】）
　甲第４号証（特開平５一２４１７４６号公報）には次の事項が記載されている。
「ジョブ番号毎に、そのジョブの受け付け日時、依頼元、処理種別及び処理状態が記述されている。ここで処理種別がコピーとあるのはｌｌＴ１４に原稿をセットし、その画像をｌＯＴ１５でプリントするジョブであることを示す。この場合にはコピー枚数等のジョブは操作パネル２１から指示されるので依頼元は操作パネルと表記されている。また、処理種別がファクシミリの受信である場合は、当該ジョブは外部から依頼されたものであるので、依頼元は外部と表記されている。なお、受け付け日時はタイマ１０で計時された値が書き込まれるものであり、ジョブの依頼元の判別は、入出力インターフェース１７や、外部モジュールインターフェース２２から得られる情報に基づいて行うことができる。」（段落【００６８】）
　甲第５号証（特開昭６３一７５９２３号公報）には次の事項が記載されている。
「状態３３において、編集メニュー１７を指示すると、プルダウンメニュー２５が表示されて状態３４に移る。状態３４において、削除メニュー項目２０が指示されると、削除メニュー項目２０が選択状態となり、状態３５へ移る。また、順序変更メニュー項目２１が指示された場合は、順序変更メニュー項目２１を選択状態として、状態３６へ移る。状態３５において、メニュー実行ボックス１８を指示すると。プルダウンメニュー２５が消去され、選択状態にあったファイル名称２４に対応するＰＲＢ４１が印刷キュー４３から削除され、新たな印刷キュー４３の状態が印刷キュー表示エリア２３に表示されて状態３２へ戻る。状態３６において、メニュー実行ボックス１８を指示すると、プルダウンメニュー２５は消去され、メッセージ表示エリア２２にメッセージが表示されて状態３７へ戻る。状態３７において、未選択状態のファイル名称２４のいずれかを指示すると、選択状態にあったファイル名称２４に対応するＰＲＢ４１を、指示されたファイル名称２４に対応するＰＲＢ４１の直前の位置になるように印刷キュー４３を変更し、ファイル名称２４に対する選択状態を解除し、新たな印刷キュー４３の状態を表示して状態３２に戻る。」（第５頁右上欄８行〜左下欄１１行）
　甲第６号証（特開平５一１８９１７０号公報）には、印刷装置において実効されるジョブの実行形態を変更（削除、実行順序の変更、実行優先順位）すること、及び、変更後の動作状況を通知することが開示されている。
　甲第７号証（特開平４一３６４９７１号公報）には次の事項が記載されている。
「スプールする印刷データの指定及びスプールした印刷データの印刷処理の指定を印刷装置のキーボードから入力していたが、ホストコンピュータからの命令によって指定してもよいことは言うまでもない。」（段落【００３２】）
「また、スプールする印刷データの指定及び印刷処理の指定について、印刷データのジョブ名称により指定するとして説明したが、これに限るものではなく、複数のジョブをまとめたジョブグループのような指定、あるいはホストコンピュータを指定することでジョブを特定させても良い。」（段落【００３３】）
　エ．当審の判断
　（１）特許法第２９条第２項の規定の違反について
　本件発明１〜１２の「実行形態変更後のジョブの動作状況を画像形成装置の操作部に表示する」ことは、甲第１〜７号証の何れにも記載も示唆もされておらず、当業者に周知の慣用技術でもない。
　そして、本件発明１〜１２は、「実行形態変更後のジョブの動作状況を画像形成装置の操作部に表示する」ことによりジョブ処理に対する煩わしさがなくなり、設定が容易になるという明細書記載の作用効果を呈するものである。
　したがって、本件発明１〜１２は、甲第１〜７号証に記載の発明及び周知の慣用技術に基づいて当業者が容易に発明をすることができたものとすることができない。
　（２）特許法第１７条の２第２項の規定の違反について
　訂正前の本件発明１及び９の「ジョブの動作状況を通知する」との事項は、出願の当初の明細書に記載の「ジョブの動作状況を前記画像形成装置の操作部に表示する」という事項に訂正された。
　したがって、訂正後の本件発明１及び７は特許法第１７条の２第２項の規定に違反してなされたものとすることができない。
　オ．むすび
  以上のとおりであるから、異議申立の理由及び証拠によっては、本件発明１〜１２についての特許を取り消すことができない。
　また、他に本件発明１〜１２についての特許を取り消すべき理由を発見しない。
　よって、結論のとおり決定する。
【異議決定日】
平成１５年１１月２７日（２００３．１１．２７）
【訂正の要旨】
審決（決定）の【理由】欄参照。
（５４）【発明の名称】
画像形成装置、および画像形成装置の制御方法
（５７）【特許請求の範囲】
　【請求項１】　
外部コンピュータ及びＬＡＮに接続される
　
前記
コンピュータ
　前記画像形成装置にて生成されたジョブと前記受信手段で受信したジョブを実行する実行手段と、
　前記実行手段にて実行されるジョブの動作状況を前記外部
コンピュータに
　前記通知手段による通知後の前記外部
コンピュータ
　前記実行形態変更後のジョブの動作状況を前記画像形成装置の操作部に表示する手段とを備えることを特徴とする画像形成装置。
　【請求項２】　前記実行形態の変更は、前記実行可能なジョブの実行順序の変更であることを特徴とする請求項１に記載の画像形成装置。
　【請求項３】　前記実行形態の変更は、前記実行可能なジョブを所定のジョブ単位で取り消すことであることを特徴とする請求項１に記載の画像形成装置。
　【請求項４】　前記実行形態の変更は、前記実行可能なジョブの実行優先順位の設定であることを特徴とする請求項１に記載の画像形成装置。
　【請求項５】　さらに、前記複数のジョブを所定単位にまとめる手段を備えることを特徴とする請求項１に記載の画像形成装置。
　【請求項６】　前記動作状況は、少なくとも該ジョブの種類、個数、番号、受付時間、開始予想時間、ページ数を含むことを特徴とする請求項１に記載の画像形成装置。
　【請求項７】　
外部コンピュータ及びＬＡＮに接続される
　
前記
コンピュータ
　前記画像形成装置にて生成されたジョブと前記受信工程で受信したジョブを実行する実行工程と、
　前記実行工程にて実行されるジョブの動作状況を前記外部
コンピュータ
　前記表示された後の前記外部
コンピュータ
工程
　前記実行形態変更後のジョブの動作状況を前記画像形成装置の操作部に表示する工程とを備えることを特徴とする画像形成装置の制御方法。
　【請求項８】　前記実行形態の変更は、前記実行可能なジョブの実行順序の変更であることを特徴とする請求項７に記載の画像形成装置の制御方法。
　【請求項９】　前記実行形態の変更は、前記実行可能なジョブを所定のジョブ単位で取り消すことであることを特徴とする請求項７に記載の画像形成装置の制御方法。
　【請求項１０】　前記実行形態の変更は、前記実行可能なジョブの実行優先順位の設定であることを特徴とする請求項７に記載の画像形成装置の制御方法。
　【請求項１１】　さらに、前記複数のジョブを所定単位にまとめる手段を備えることを特徴とする請求項７に記載の画像形成装置の制御方法。
　【請求項１２】　前記動作状況は、少なくとも該ジョブの種類、個数、番号、受付時間、開始予想時間、ページ数を含むことを特徴とする請求項７に記載の画像形成装置の制御方法。
【発明の詳細な説明】
　【０００１】
　【産業上の利用分野】
　本発明は、複数のジョブを受付けることができる画像形成装置、およびその画像形成装置の制御方法に関するものである。
　【０００２】
　【従来の技術】
　従来より、複数のジョブを受け付けることが可能な画像形成装置では、装置が時間的に早く受け付けたジョブから優先的に処理を行なっている。つまり、従来の画像形成装置は、受け付けた順にジョブを処理している。
　【０００３】
　【発明が解決しようとする課題】
　しかしながら、上記従来の画像形成装置では、受け付けた順にジョブを処理していて、これらのジョブについては、その実行順序の変更ができないため、ジョブ処理上の柔軟性に欠け、効果的な処理ができないという問題がある。本発明は、上述の課題に鑑みてなされたもので、その目的とするところは、要求されたジョブを効果的に処理し、ジョブの処理時間を節約できる画像形成装置、およびその画像形成装置の制御方法を提供することにある。
　【０００４】
　【課題を解決するための手段】
　上記の目的を達成するため、本発明にかかる
外部コンピュータ及びＬＡＮに接続される
　
前記
コンピュータ
　前記画像形成装置にて生成されたジョブと前記受信手段で受信したジョブを実行する実行手段と、
　前記実行手段にて実行されるジョブの動作状況を前記外部
コンピュータに
　前記通知手段による通知後の前記外部
コンピュータ
　前記実行形態変更後のジョブの動作状況を前記画像形成装置の操作部に表示する手段とを備えることを特徴とする。
　【０００５】
　また、
外部コンピュータ及びＬＡＮに接続される
　
前記
コンピュータ
　前記画像形成装置にて生成されたジョブと前記受信工程で受信したジョブを実行する実行工程と、
　前記実行工程にて実行されるジョブの動作状況を前記外部
コンピュータ
　前記表示された後の前記外部
コンピュータ
工程
前記実行形態変更後のジョブの動作状況を前記画像形成装置の操作部に表示する工程とを備えることを特徴とする。
　【０００６】
　以上の構成により、ジョブ処理に対する設定が容易になる。
　【０００７】
　【実施例】
　以下、添付図面を参照して、本発明に係る好適な実施例を詳細に説明する。図１は、本発明の実施例に係る画像形成システムの構成を表わすブロック図である。同図において、符号１は、不図示の原稿を画像データに変換する画像入力装置（以下、リーダ部と称する）、２は、複数種類の記録紙カセットを有し、入力されたプリント命令により、画像データを記録紙上に可視像として出力する画像出力装置（以下、プリンタ部と称する）、３は、リーダ部１と電気的に接続された外部装置であり、以下に説明する各種の機能を有する。
　【０００８】
　外部装置３には、ファクス部４、ファイル部５、ファイル部５と接続されている外部記憶装置６、コンピュータ１５及びＬＡＮ（不図示）と接続するためのコンピュータインターフェース部７、コンピュータ１５からの情報を可視像とするためのフォーマット部８、そして、リーダ部１からの情報を蓄積したり、コンピュータ１５から送られてきた情報を一時的に蓄積するためのイメージメモリ部９、そして、上記各機能部を制御するコア部１０を備えている。なお、ファクス部４には、ファクシミリ情報を蓄積するためのハードディスク１１、及び通信用の電話回線１６が接続されている。
　【０００９】
　図２は、本実施例に係る画像形成システムを構成するリーダ部１及びプリンタ部２の内部構成を示す断面図である。以下、図２を参照して、本実施例に係るリーダ部１及びプリンタ部２の構成及び動作について説明する。同図において、原稿給送装置１０１上に積載された原稿（不図示）は、１枚ずつ、順次、原稿台ガラス面１０２上に搬送される。原稿が原稿台ガラス面１０２の所定位置へ搬送されると、スキャン部のランプ１０３が点灯し、かつ、スキャナ・ユニット１０４が移動して原稿に光を照射する。そして、原稿からの反射光は、ミラー１０５，１０６，１０７，及びレンズ１０８を介して、ＣＣＤイメージ・センサ部１０９（以下、ＣＣＤと称する）に入力される。
　【００１０】
　ＣＣＤ１０９に入力された原稿からの反射光は、ここで光電変換され、変換された電気信号は、画像処理部１１０において、各種の画像処理が施された後、不図示の外部切換回路に至る。外部切換回路は、リーダ部１からの信号をプリンタ部２、または外部装置３へ切り換えるセレクタである。また、リーダ部１からの信号と、外部装置３からの信号のいずれかを選択し、プリンタ部２に接続する働きをも行なう。
　【００１１】
　画像処理部１１０の外部切換回路にてプリンタ部２へ接続された電気信号は、露光制御部２０１にて変調された光信号に変換され、その光信号は感光体２０２を照射する。この照射光によって感光体２０２上に作られた潜像は、現像器２０３によって現像される。そして、上記の現像された像の先端とタイミングを合わせて、転写紙積載部２０４（もしくは、転写紙積載部２０５）より転写紙が搬送され、転写部２０６において、上記の現像された像が転写される。
　【００１２】
　転写された像は、定着部２０７にて転写紙上に定着された後、排紙部２０８より本装置外部に排出される。この排紙部２０８から出力された転写紙は、ソータ２２０にてソート機能が働いている場合には、各ビンに、あるいは、ソータ２２０のソート機能が働いていない場合には、ソータ２２０の最上位のビンに排出される。
　【００１３】
　なお、順次読み込んだ画像を１枚の出力用紙の両面に出力する場合は、定着部２０７で定着された出力用紙を、一度、排紙部２０８まで搬送後、用紙の搬送向きを反転して、搬送方向切り替え部材２０９を介して、再給紙用被転写紙積載部２１０に搬送する。そして、次の原稿が準備されると、上記のプロセスと同様に原稿画像が読み取られる。この場合は、転写紙については、再給紙用被転写積載部２１０より給紙されるので、結局、同一出力紙の表面及び裏面に２枚分の原稿画像を出力することができる。
　【００１４】
　図３は、リーダ部１上に設けられた操作パネルの構成を示す図である。同図において、符号３０１は表示部であり、画像形成システムの動作状態や各種のメッセージを表示する。この表示部３０１はタッチパネル方式になっており、その表面の所定位置を触ることにより、表示部が選択キーとして働く。また、３０２は、所望の数字を入力するテンキーである。そして、３０３はスタートキーであり、このキーを押すことによりリーダ部等が動作を開始する。
　【００１５】
　次に、図４〜図９に示すフローチャートを参照して、本実施例に係る画像形成システムの動作を詳細に説明する。まず、図４に示すフローチャートのステップＳ４０１では、システムへの電源投入後、所定の初期設定が行なわれる。そして、上記操作パネルの表示部３０１に動作モード選択キーが表示され、操作者が選択キーに対応する位置のパネルを触れることにより、所望のモードが選択される。
　【００１６】
　すなわち、ステップＳ４０２では、選択されたモードがコピーモードかどうかが判定され、コピーモード時には、図５に示す処理ステップに移行する。しかし、ステップＳ４０２でコピーモードが選択されない場合には、ステップＳ４０３で、ファックス送信モードかどうかが判定される。そして、ファックス送信モードが選択されたときには、図６に示す処理ステップに移行する。
　【００１７】
　また、ステップＳ４０３でファックス送信モードが選択されなかった場合には、続くステップＳ４０４で、ファイルモードかどうかが判定され、その判定の結果、ファイルモードのときには、図７に示す処理ステップに移行する。ステップＳ４０４でファイルモードが選択されなかった場合には、ステップＳ４０５で、外部入力があるか、つまり、コンピュータインターフェース部７からの入力モードかどうか判定される。ここでの判定の結果、コンピュータインターフェース部７からの入力モードのときには、図８に示す処理ステップに移行する。しかし、ステップＳ４０５での判定で、コンピュータインターフェース部７からの入力モードが検出されない場合には、次のステップＳ４０６で、ファックス受信モードかどうかが判定され、それがファックス受信モードであれば、図９に示す処理に移る。
　【００１８】
　なお、ステップＳ４０６でファックス受信モードが検出されないときには、コピーモードかどうかの判定、すなわち、ステップＳ４０２に戻り、再び、上記ステップＳ４０２〜Ｓ４０６の選択モードの判定を繰り返す。
＜コピーモード選択時の動作＞
図５は、コピーモードが選択された場合の処理手順を示すフローチャートである。
　【００１９】
　ここでは、最初にコピー動作の初期化設定が行なわれ（ステップＳ５０１）、次に、操作パネルより入力されるキー３０１，３０２を読み込んでコピー条件を設定する（Ｓ５０２）。そして、スタートキー３０３の入力を待つ（Ｓ５０３）。スタートキーが押されると、リーダ部１で原稿を読み取り（Ｓ５０４）、プリンタ部２で所定の印刷を行なう（Ｓ５０５）。なお、この印刷動作は、図２を参照して説明した印刷動作を意味する。そして、印刷終了後、初期設定状態（図４のステップＳ４０１）に戻る。
＜ファックス送信モード選択時の動作＞
　図６は、ファックス送信モードが選択された場合の動作を示すフローチャートである。同図に示すステップＳ６０１では、ファックス送信の初期化設定が行なわれ、操作パネルより入力されるキー３０１，３０２の内容を読み込んでコピー条件を設定する（Ｓ６０２）。そして、スタートキー３０３の入力を待つ（Ｓ６０３）。
　【００２０】
　スタートキーが押されると、リーダ部１で原稿を読み取り（Ｓ６０４）、読み取った画像データをファックス部４に送る。このファックス部４は、設定された様式と決められたプロトコルに従ってファックス送信を行なう（Ｓ６０５）。そして、送信終了後は、初期設定状態（図４のステップＳ４０１）に戻る。
＜ファイルモード選択時の動作＞
　図７は、ファイルモードが選択された場合の動作フローチャートである。
　【００２１】
　ここでは、まず、ファイル操作の初期化設定が行なわれ（Ｓ７０１）、操作パネルにファイル記録、あるいは検索のいずれかのモード選択を表示し、キー入力を待つ（Ｓ７０２）。このステップＳ７０２で記録キーが選択された場合には、記録条件設定を行ない（Ｓ７０３）、続いてリーダ部１より原稿の読み取りを行なう（Ｓ７０４）。そして、ファイル部５にデータを送り、ファイル部５は、それに接続された外部記憶装置６に記録する（Ｓ７０５）。
　【００２２】
　一方、ステップＳ７０２でファイル検索キーが選択さた場合には、検索条件設定が行なわれ（Ｓ７０６）、外部記憶装置６によるファイル検索が行なわれ（Ｓ７０７）、ステップＳ７０８で、その結果が出力される。そして、上記の記録、または検索終了後は、初期設定（図４のステップＳ４０１）に戻る。
＜外部入力モード選択時の動作＞
　図８は、コンピュータインターフェース部７からコマンド・データが入力された場合の動作フローチャートである。
　【００２３】
　本モードでは、まず、コマンドをコンピュータインターフェース部７で受理し（Ｓ８０１）、コア部１０を経由してデータをフォーマッタ部８に送り、そこで、データ内容の解釈をして、文字等、意味のある情報に変換する（Ｓ８０２）。次に、情報を出力するが、プリンタ部２が動作中かどうかを確認し（Ｓ８０３）、プリンタ部２が動作中でない場合に、データ内容を印刷する（Ｓ８０４）。
　【００２４】
　一方、プリンタ部２が動作中の場合には、データをイメージメモリ部９に記憶し（Ｓ８０５）、プリンタ部２が動作中でない期間に印刷する（Ｓ８０３，Ｓ８０４）。そして、データ出力後、初期設定（図４のステップＳ４０１）に戻る。
＜ファックス受信動作＞
　図９は、ファックス受信された場合の動作フローチャートである。
　【００２５】
　ファックス受信がファックス部４で行なわれ（Ｓ９０１）、プリンタ部２が動作中かどうかが判定される（Ｓ９０２）。そして、プリンタ部２が動作中でなければ、プリンタ部２にデータが送られ、所定の印刷処理がされる（Ｓ９０３）。しかし、ステップＳ９０２で、プリンタ部２が動作中出あると判断された場合には、ファックス部４に接続されたハードディスクにデータが記憶され（Ｓ９０４）、プリンタ部２が動作中でないときにプリントアウトが行なわれる（Ｓ９０２，Ｓ９０３）。そして、プリントアウト終了後は、初期設定（図４のステップＳ４０１）に戻る。
　【００２６】
　なお、ここでは、上記のモードを操作パネル上の選択キー３０１で選択するか、ファックス部４にて受信するか、あるいは、コンピュータインターフェース部７にて外部からのコマンドを検出することにより行なう。そして、これらのモードの動作は、同時に組み合わせて動作できるもの、あるいは同時に独立して動作できるものがあり、それらの優先順位の設定等は、コア部１０にて制御する。
　【００２７】
　次に、本実施例におけるジョブの実行順序の変更について説明する。ジョブ管理を行なう、本実施例に係る画像形成システムを構成するコンピュータインターフェース部７に接続された外部コンピュータ１５からジョブの動作状況の問い合わせが行なわれると、コンピュータインターフェース部７は、コア部１０に対して、現在要求されているジョブの種類、個数、番号、各々の受付時間及びジョブの開始予想時間、ページ数等の情報を外部コンピュータに知らせる。
　【００２８】
　例えば、図１０に示すようなジョブが外部コンピュータ１５に知らされたとき、表示された３番目と４番目のジョブ３，ジョブ４の２個の実行順序を最初（１番目と２番目）にするために、外部コンピュータ１５で実行順序の変更を設定する。これにより、コア部１０の制御による実行順序の変更ができ（図１１参照）、設定したジョブの実行が最初に行なわれる。
　【００２９】
　このようにして、本実施例では外部コンピュータ１５でジョブの実行順序を任意に設定できる。次に、ジョブの取消し機能について説明する。図１０に示すジョブが外部コンピュータ１５に知らされたとき、２番目と５番目のジョブ（ジョブ２，ジョブ５）の実行の取消しを、外部コンピュータ１５で設定する（図１２参照）。これにより、コア部１０での制御が行なわれ、外部コンピュータ１５に、現在使用されないジョブ番号２，５が設定され、ジョブ２及びジョブ５の実行は行なわれない。
　【００３０】
　このようにして、本実施例では外部コンピュータ１５でのジョブの取消しが自由に設定できる。本実施例に係る画像形成システムでは、図１に示すコア部１０が受け付けた複数のジョブをリーダ部１の操作部に表示する。ここでは、この操作部からジョブの実行順序の変更が可能であり、また、ジョブの取消しが可能であることを説明する。
　【００３１】
　すなわち、上述のように、コア部１０に、現在要求されているジョブの種類、個数、番号、各々のジョブの受付時間及びジョブの開始予想時間、ページ数等の情報が操作部に表示されたとき、３番目と４番目のジョブ（ジョブ３及びジョブ４）を１番目，２番目にその実行順序を変更するよう設定する。また、６番目のジョブを取り消す旨の設定を行なうと、それぞれのジョブの設定どおりにジョブが実行される。
　【００３２】
　このことから、本実施例では、操作部においてもジョブの実行順序の変更とジョブの取消しが可能である。次に、操作部からジョブの優先順位を設定できることを説明する。通常、複数の機能を持つ画像形成システムにおいて、コア部１０に、現在要求されているジョブの種類、個数、番号、各々のジョブの受付時間及びジョブの開始予想時間、ページ数等の情報をあらかじめ記憶しておき、ジョブ開始予想時間の早いジョブから優先的に実行する。
　【００３３】
　このとき、上述のように、外部コンピュータ１５からジョブの優先順位を設定することにより、外部コンピュータ１５に表示されている優先順位で処理される。同様に、画像形成システムの操作部からジョブの優先順位を設定することにより、操作部に表示されている優先順位でジョブの処理が行なわれる。そして、このとき、外部コンピュータ１５からの優先順位の設定と、画像形成システムの操作部からの優先順位の設定のどちらかを優先させるための設定が可能である。
　【００３４】
　本実施例に係る画像形成システムでは、複数のジョブを受け付けることが可能である。そこで、複数のジョブをまとめて１つにするための設定例について説明する。コピー、プリンタ、ファックス、ファイル等の機能を有する複合画像形成装置において、各々のジョブを組み合わせる設定を行なうことによって、複数のジョブを１つにまとめて処理できる。例えば、ファックス、ファイルを組み合わせて複数部出力し、各部ごとに閉じる、ということを１つのジョブにまとめる設定が可能である。
　【００３５】
　また、ファックス、ファイル機能を組み合わせて複数部出力し、各部ごとに閉じることにより、製本の設定が行なわれたことになり、この処理の設定は、１つにまとめることが可能である。なお、上記のような設定は、外部コンピュータ１５、画像形成システムの操作部ともに設定可能である。
　【００３６】
　以上説明したように、本実施例では、現在実行可能なジョブを外部装置に通知し、外部装置からジョブの実行順序の変更や実行の取消し、さらに、実行の優先順位を設定できるようにすることで、ジョブの混雑状況に応じた適切、かっ効率的なジョブの実行が可能となる。さらに、ジョブの実行順位の変更や取消し等を、装置の操作部にてもできるようにすることで、使い勝手のよい効果的なジョブ管理が可能となる。
　【００３７】
　なお、本発明は、複数の機器から構成されるシステムに適用しても１つの機器から成る装置に適用しても良い。また、本発明は、システムあるいは装置にプログラムを供給することによって達成される場合にも適用できることは言うまでもない。
　【００３８】
　【発明の効果】
　以上説明したように、本出願にかかる発明によれば、実行形態変更前及び変更後のジョブの動作状況を通知し、外部
コンピュータ
コンピュータ
　【００３９】
　また、本出願の発明によれば、複数のジョブを組み合せて処理をひとまとめに実行可能な設定をすることで、複雑な製本処理の設定が可能となる。
【図面の簡単な説明】
　【図１】
　本発明の実施例に係る画像形成システムの構成を表わすブロック図である。
　【図２】
　実施例に係るリーダ部及びプリンタ部の構成を示すブロック図である。
　【図３】
　リーダ部１の操作パネルの構成を示す図である。
　【図４】
　システム全体の動作を示すフローチャートである。
　【図５】
　コピー動作を示すフローチャートである。
　【図６】
　ファックス送信動作を示すフローチャートである。
　【図７】
　ファイル記録時／検索時の動作を示すフローチャートである。
　【図８】
　外部インターフェースからのプリンタ時の動作を示すフローチャートである。
　【図９】
　ファックス受信時の動作を示すフローチャートである。
　【図１０】
　外部コンピュータの現在実行可能なジョブの表示例を示す図である。
　【図１１】
　外部コンピュータよりジョブの実行順序を変更した様子を示す図である。
　【図１２】
　外部コンピュータよりジョブの取消しを行なった様子を示す図である。
　【符号の説明】
　１　画像入力装置（リーダ部）
　２　画像出力装置（プリンタ部）
　３　外部装置
　４　ファクス部
　５　ファイル部
　６　外部記憶装置
　７　コンピュータインターフェース部
　８　フォーマット部
　９　イメージメモリ部
　１０　コア部
　１１　ディスク
　１５　外部コンピュータ
　１６　電話回線